(57)【特許請求の範囲】
【請求項１】
家屋の基礎の下方位置に設定されて、基礎を持ち上げるために使用されるジャッキを載置する耐圧板と、
該耐圧板上に載置されたジャッキの周囲を囲むように設定される側壁と、
該側壁の上部に形成される上部開口を閉じる蓋と
を有し、該蓋が
前記ジャッキにアクセスし該ジャッキを操作するために取り外し可能とされた第１の蓋と、
該第１蓋に隣接して前記ジャッキの上方位置に設けられ、前記第１の蓋を外して、前記側壁内に収納されているジャッキを操作することにより該ジャッキにより持ち上げられて前記基礎を持ち上げ可能とした第２の蓋と
を有することを特徴とする、家屋の基礎を持ち上げるためのジャッキを収納するジャッキ収納部材。
【発明の詳細な説明】
【技術分野】
【０００１】
本発明は、比較的軟弱な地盤の上に建てられる家屋が、時間の経過と共に、又は、地震などにより傾斜した場合に、その傾斜した家屋を元の水平な状態に修復するために用いられる技術に関する。
【背景技術】
【０００２】
平地が限られている我が国では、埋め立て地などの軟弱地盤にも家屋を建てることも必要とされるところがあり、その基礎工事にはかなりの時間と費用がかかる。そのような基礎工事をしても、時間の経過と共に家屋が傾いてしまう事例が少なくなく瑕疵担保責任問題が生じることが少なくない。また、地震などによる流動化現象などによって家屋が傾斜してしまう事例も少なくない。このような場合、家屋自体は依然として使用可能な場合が多く、従って、傾斜した家屋を元の状態に戻すことが必要となる。
【０００３】
傾斜した家屋を元の水平な状態に修復する技術として、家屋の基礎の下に作業穴を掘り、その中に砕石を敷き詰め、その上にジャッキを設定して、同ジャッキを作動させて家屋の基礎を持ち上げると共に、砕石を敷き詰めた地盤を固めて、当該家屋を安定的に修復する技術が開発されている（特許文献１参照）。この修復技術では、傾斜した家屋の基礎の下に作業穴を掘る作業にかなりの労力と時間がかかり、また、作業穴に砕石を敷き詰めてジャッキを作動させる作業は、砕石の敷き詰めを複数回繰り返しながら行う必要があるために時間と労力がかかり、従って、費用も高額なものとなる。
【先行技術文献】
【特許文献】
【０００４】
【特許文献１】特開２０００−１４４７８３号
【発明の概要】
【発明が解決しようとする課題】
【０００５】
本発明は、上記のような従来技術に鑑み、より効率的に短期間低コストで修復作業を行うことを可能とする新たな技術を提供することを目的とする。
【課題を解決するための手段】
【０００６】
すなわち、本発明は、
家屋の基礎構造を造る方法において、
家屋の鉄筋コンクリート製の基礎を造る土地における１以上の箇所にジャッキ設定用穴を掘削する工程と、
該ジャッキ設定用穴の底部に耐圧板を設置する工程と、
前記耐圧板の上にジャッキを設定するための空間を作る側壁を設ける工程と、
前記側壁の上に蓋を載せる工程と、
前記耐圧板、側壁、蓋が設定された前記地盤の上に鉄筋コンクリート製の基礎を造る工程と、
を有し、前記耐圧板上にジャッキ設定して前記基礎の持ち上げをできるようにした基礎構造を造る方法を提供する。
【０００７】
これまでの一般家屋の基礎工事では、上述のようなジャッキ設定用の空間を設けることは行われておらず、新規な工法を提供するものである。この工法によって造られた基礎構造を有する家屋では、地震などにより傾いた場合でも、ジャッキ設定箇所を掘り返しジャッキを設定して修復作業を行うことができるので、作業を短期間低コストで行うことが可能となる。
【０００８】
上記方法においては、鉄筋コンクリートにより一体的に造られた前記側壁と前記耐圧板を、前記ジャッキ設定用穴の中に設定するようにすることができる。
このようにすることにより、側壁と耐圧板との設定作業がより簡素化できる。
【０００９】
本発明はまた、上記方法において使用するジャッキ収納部材を提供する。このジャッキ収納部材は、家屋の鉄筋コンクリート製の基礎の下方位置に設定されて、基礎を持ち上げるために使用されるジャッキを載置する耐圧板と、
該耐圧板の上に設けられる側壁であって、該側壁に囲まれる空間内で前記耐圧板上にジャッキを設定することが出来るようにした側壁と、
該側壁の上部に形成される上部開口を閉じる蓋と、
を有するジャッキ収納部材を提供する。
【００１０】
前記耐圧板、側壁、及び蓋は鉄筋コンクリート製として、前記耐圧板及び側壁を一体成形することが出来る。
【００１１】
また、前記側壁が開口を有し、該開口を通して、該側壁の内部に設定したジャッキを操作することが出来るようにすることができる。
【００１２】
本発明は更に、発明としての技術的特徴を前記方法と同じくする家屋の基礎構造を提供する。すなわち、この基礎構造は、
家屋の鉄筋コンクリート製の基礎と、
該基礎の下方位置に設けられた耐圧板と、
前記耐圧板上に設けられた側壁であって、該側壁に囲まれる空間内で前記耐圧板上にジャッキを設定することが出来るようにした側壁と、
該側壁上に設置され、前記側壁と前記基礎の底部との間に設定された蓋と
を有する、持ち上げ用ジャッキを設定するための空間を備える基礎構造を提供する。
【００１３】
以下、添付図面に基づき、本発明に係る持ち上げ用ジャッキを備える基礎構造、及び、その工事方法、並びにその工事方法に用いられ基礎構造の１つの構成エレメントであるジャッキ収納部材につき説明する。
【図面の簡単な説明】
【００１４】
【図１】家屋のコンクリート製の基礎及びその上に設定される土台の概略平面図で、本発明におけるジャッキ設定箇所を示す。
【図２】本発明の特徴をなす基礎構造を示す断面図である。
【図３】本発明におけるジャッキ収納部材を示す斜視図である。
【発明を実施するための形態】
【００１５】
一般家屋の建築における通常の基礎は、家屋を建てる土地に地面より低い基礎用窪地を造り（根切り）、その底に多数の砕石を敷き詰め、目潰し砂利で砕石の隙間を埋めた後コンクリートを流して地盤を固め、その上に基礎用鉄筋を配置し、基礎用コンクリートを打設して基礎としており、この基礎上に家屋の土台（柱の下端部分を受ける横木）が置かれる。本発明では、以下に述べるように、上記のような基礎の下に予めジャッキ、もしくはジャッキを設定するための空間を設定するようにしたことを特徴とするものであり、図１は、そのような基礎に対するジャッキ又はジャッキ設定空間の設定箇所の例を示す。すなわち、図においてＡは基礎、Ｂは土台であり、ジャッキ設定箇所を○で示しており、この設定箇所は、Ｃを付して示す基礎外周に沿う土台Ｂに沿って間隔をあけられた位置と、Ｄを付して示す基礎の内側にある土台Ｂに沿って間隔をあけられた位置とがある。
【００１６】
図２は、ジャッキ設定箇所Ｃ、Ｄにおける基礎部分の構造を示す。これら基礎部分は、通常の基礎と同様に、地面ＧＬに対して造られた基礎（図示の例ではべた基礎）Ａと、該基礎Ａの下に敷かれた砕石層Ｅ及びその上に打設されたコンクリート層Ｆとを有する。本発明に係る基礎構造では、この基礎の下にジャッキ１０を設定するようにしたことを特徴とする。
【００１７】
ジャッキ１０の設定態様は設定箇所Ｃと設定箇所Ｄとで異なっており、先ず、設定箇所Ｃにつき説明すれば次の通りである。ジャッキ１０は、基礎Ａの下方位置に設けられた鉄筋コンクリート製の耐圧板１２の上に載置されている。耐圧板１２の上には、該耐圧板と一体的に設けられた平面視でコ字状の鉄筋コンクリート製の側壁１４及び該側壁１４の上に載置された蓋１６によって囲まれたジャッキ設定用空間が形成されている。この蓋１６は以下に述べる基礎造作工事において、基礎Ａ用のコンクリートを打設したときに、このコンクリートと接するようになっており、従って、多くの場合、完成した基礎Ａの底部に固着された状態となる。また、側壁１４には家屋の外側に面する側に作業用開口１４−１が設けられており、ジャッキを使用する場合には、この作業用開口１４−１を通して操作が行われるようになっている。また、この作業用開口１４−１には、それを閉じる蓋１８を設けることができ、この蓋１８も鉄筋コンクリート製とされる。
【００１８】
設定箇所Ｃにおける基礎工法は以下の通りである。
（１）ジャッキ収納部材（耐圧板１２、側壁１４及び蓋１６、１８）の用意
上述の耐圧板１２、側壁１４及び蓋１６、１８は、ジャッキ収納部材を構成するものであり、本実施形態においては、工事現場で作るのではなく、工場生産したものを用意する。すなわち、耐圧板１２及び側壁１４は、図３に示すように、鉄筋コンクリート製のものとし、工場で一体成形する。蓋１６、１８も鉄筋コンクリート製で工場生産されるが、蓋１６の底面にはコ字状の突起１６−１が設けられ、側壁１４の上部開口１４−２に嵌合するようにして、側壁１４に対する位置合わせを容易にし、且つ、側壁１４に対して変位しにくいようにしている。蓋１８には、それを作業用開口１４−１から外しやすくするために、図示しない取っ手を設けることが好ましい。耐圧板１２は、基礎Ａを基準として外側から内側への奥行きが略１２００ｍｍ、幅が略８００ｍｍ、厚さが略２００ｍｍとされる。また、側壁１２は厚さが略２００ｍｍ、高さが略３００ｍｍとされる。蓋１６、１８は略２００ｍｍの厚さとされる。
（２）ジャッキ設定用穴の掘削
基礎Ａが造られる地面の上記設定箇所Ｃに、耐圧板１２を設置するための略矩形状のジャッキ設定用穴を掘削する。ジャッキ設定用穴の底面には、砕石及び目潰し砂利の層Ｇとその上に打設された通常捨てコンと呼ばれるコンクリートの層Ｈが造られる。層Ｇは略１００〜１５０ｍｍ、層Ｈは略５０ｍｍとされる。
（３）耐圧板並びにジャッキの設置
上記ジャッキ設定用穴の底部に形成したコンクリート層Ｈの上に耐圧板１２及び側壁１４を設置し、この耐圧板１２の上にジャッキ１０を設置する。ジャッキ１０は、本実施形態においては油圧式のもので、油圧シリンダを備えたベース部１０−１と、該油圧シリンダに上下動可能にされたラム部１０−２とを備えている。蓋１６、１８は、ジャッキを設置した後に設定される。
（４）ジャッキ設定用穴への土の埋設
上記のようにジャッキ１０を設置し、蓋１６、１８が取り付けられた状態で、ジャッキ設定用穴を土で埋める。蓋１８は必ずしも設ける必要は無く、この場合は、土が作業用開口１４−１を通してジャッキの周りに入り込むことになるが、そのような土はジャッキ使用時に除去すれば良く、問題とはならない。
（５）根切り
ジャッキ設定用穴を埋めて略元の状態にされた地面に対して、基礎Ａを造るための基礎用穴の掘削（根切り）を行う。この基礎用穴は、図２に示されるような基礎Ａの側面Ａ１と底面Ａ２が形成されるような形状に掘削される。そのようにして造られた基礎用穴には上述の砕石層Ｅ及びコンクリートＦが造られるが、コンクリート層Ｆは、蓋１６には届くが側壁１４には届かないようにされる。コンクリート層Ｆが側壁１４に固着されるのを防ぐためである。
（６）鉄筋コンクリート製基礎の造成
砕石層Ｅ及びコンクリート層Ｆが造られた基礎用穴には、基礎用鉄筋及びコンクリート打設用枠が組み立てられ、基礎用コンクリートが打設され、基礎Ａが造成される。基礎用コンクリートは、蓋１６上にも打設され、蓋１６は基礎Ａと実質的に一体となる。尚、基礎Ａは通常、厚さ略２００ｍｍとされ、基礎周縁における土台Ｂを載せる部分の高さは、略５００ｍｍ以上とされる。
【００１９】
以上が、基礎周縁に沿ったジャッキ設定箇所Ｃでの基礎部分の構造及びその工事法であるが、次に、基礎Ａの内側に配置される土台Ｂに沿ったジャッキ設定位置Ｄにおける基礎構造及びその工事法につき説明する。
【００２０】
ジャッキ設定位置Ｄにおける基礎部分は、基本的にはジャッキ設定位置Ｃの基礎部分と構造的には実質的同じものである。異なる点は、耐圧板３２上に設けられてジャッキ１０を囲う側壁３４の形状及び蓋３６Ａ、３６Ｂである。側壁３４はジャッキ１０の周囲全体を囲う平面視で矩形状とされ、この側壁３４の上部開口は２枚の蓋３６Ａ、３６Ｂによって閉じられている。図示の例では、側壁３４内に設定されるジャッキ１０が１つの場合を示しているが、２つ以上のジャッキを設けるようにすることも出来る。２つの蓋３６Ａ、３６Ｂを設けているのは、傾いた家屋を水平に修復する際の修復工事を考慮しているためである。すなわち、この基礎の外周から離れた内側にある設置箇所Ｄでは、そこに設置したジャッキ１０にアクセスし操作するために、基礎Ａに穴Ｉをあけ、その穴Ｉを通して蓋を外す必要があり、一方の蓋３６Ａだけを外して内部のジャッキ１０にアクセスできるようにするためである。基礎Ａの穴Ｉは、基礎Ａを造るときに形成して、この穴Ｉを閉じる蓋を設けるようにすることも出来る。耐圧板３２と側壁３４は、設置箇所Ｃのものと同様に、鉄筋コンクリート製で一体成形され、ボックス型のものとして工場生産される。蓋３６Ａ、３６Ｂも鉄筋コンクリート製で工場生産され、上述の蓋１６に設けた突起１６−１と同様の突起３６Ａ−１、３６Ｂ−１が設けられる。耐圧板１２のサイズは、略１２００ｍｍ×８００ｍｍ×２００ｍｍとされるが、２つ以上のジャッキを設定する場合には、必要に応じてサイズを大きくする。また、側壁３４は厚さが略２００ｍｍ、高さが略３００ｍｍとされ、蓋３６Ａ，３６Ｂは略２００ｍｍの厚さとされる。
【００２１】
ジャッキ設定位置Ｄにおける基礎部分の工事法は、ボックス型をなす耐圧板及び側壁並びに２枚の蓋を用意することを除いては、上述したジャッキ設定位置Ｃにおける基礎構造の工事法と同じである。すなわち、基礎Ａを造成する前に、ジャッキ設定用穴を掘削し、その底部に砕石及び砂利の層Ｇ及びコンクリート層Ｈを造り、耐圧板３２、側壁３４を設置し、ジャッキ１０を耐圧板３２上に設置し、蓋３６Ａ、３６Ｂを設置した後とで、通常の基礎工事を行う。
【００２２】
以上本発明の実施形態につき説明したが、本発明はこれに限定されるものではなく種々の変更が可能である。例えば、上記実施形態では、ジャッキをジャッキ設定空間内に家屋建築時に設置するようにしているが、ジャッキ設定用空間だけを設けておき、家屋が傾きその修復をするときに該ジャッキ設定用空間にジャッキを設定して作業を行うようにすることも当然可能である。また、ジャッキ設定箇所Ｃに設けたジャッキ収納部材（耐圧板１２、側壁１４、蓋１６、１８）は、ジャッキ設定箇所Ｄに設けたジャッキ収納部材（耐圧板３２、側壁３４、蓋３６Ａ、３８Ａ）に置き換えることができる。すなわち、この場合のジャッキ収納部材は、その蓋３８Ｂの部分を基礎Ａの外周側面Ａ１よりも外側位置となるように設定し、傾斜した家屋の修復工事においては、基礎Ａの外側の土を掘って、蓋３８Ｂを外して作業できるようにする。
【符号の説明】
【００２３】
コンクリート製基礎Ａ；土台Ｂ；ジャッキ設定箇所Ｃ、Ｄ；地面ＧＬ；砕石層Ｅ；コンクリート層Ｆ；ジャッキ１０；ベース部１０−１；ラム部１０−２；耐圧板１２；側壁１４；上部開口１４−２；蓋１６；突起１６−１；作業用開口１４−１；蓋１８；耐圧板３２；側壁３４；蓋３６Ａ、３６Ｂ；突起３６Ａ−１、３６Ｂ−１
【図１】
0005684096.tif 000002
【図２】
0005684096.tif 000003
【図３】
0005684096.tif 000004